(57)【要約】【課題】  そこで本発明は、上記問題を解決すべくなされたものであり、その目的とするところはＩＣタグが破損しにくい形態のＩＣタグ付き通帳を提供することにある。【解決手段】  本発明は、上記課題を達成するためになされたものであり、請求項１記載の本発明は、表紙紙片と見返し紙片からなる表紙にＩＣタグを備えたＩＣタグ付き通帳であって、前記表紙の前記表紙紙片と前記見返し紙片の間に切り抜き部を有するスペーサーを備え、前記スペーサーの前記切り抜き部に前記ＩＣタグが位置し、前記表紙に前記ＩＣタグが内蔵されていることを特徴とするＩＣタグ付き通帳である。【選択図】        図１
2019084721.tif 000002
【特許請求の範囲】
【請求項１】
表紙紙片と見返し紙片からなる表紙にＩＣタグを備えたＩＣタグ付き通帳であって、
前記表紙の前記表紙紙片と前記見返し紙片の間に切り抜き部を有するスペーサーを備え、前記スペーサーの前記切り抜き部に前記ＩＣタグが位置し、前記表紙に前記ＩＣタグが内蔵されていることを特徴とするＩＣタグ付き通帳。
【請求項２】
前記スペーサーの厚さが、前記ＩＣタグの厚さと略同じであることを特徴とする請求項１に記載のＩＣタグ付き通帳。
【請求項３】
複数枚の本紙が前記表紙と中綴じされていることを特徴とする請求項１または請求項２に記載のＩＣタグ付き通帳。
【発明の詳細な説明】
【技術分野】
【０００１】
本発明は、表紙紙片と見返し紙片からなる表紙にＩＣタグが内蔵されたＩＣタグ付き通帳に関する。
【背景技術】
【０００２】
従来、金融機関等で使用される通帳類には情報媒体として磁気テープが貼着されている。一方、近年、情報媒体としてＩＣタグを用い、情報表示や不正防止を図る技術が各分野で利用されるようになってきた。ＩＣタグは所定の情報が記憶されたＩＣチップと無線アンテナを基材の上に搭載しタグ状に形成した超小型の通信端末である。このようなＩＣタグは金融機関や図書館で使用される通帳類にも利用されるようになってきており、無線通信によりＩＣチップに記憶された情報を読み取り書き込みが行われる（例えば、特許文献１参照）。
【０００３】
特許文献１のコード化通帳は、図５に示すように、例えば従来の通帳１００の裏側等にＩＣタグ１４０を被覆用シール１４７で被覆するように表紙１２０に貼着されている。しかしながら、ＩＣチップ１４２の厚みは基材１４１に比べ著しく厚い。近年、ＩＣタグ用ＩＣチップは小サイズ、薄片化が図られているが、それでも基材１４１より遥かに厚い。したがって、基材１４１面にアンテナパターンを形成してＩＣチップ１４２を装着し、被覆用シール１４７で被覆しても、図５（ロ）に示すようにＩＣチップ１４２部分は表紙１２０の上で盛り上がり嵩高となる。
【先行技術文献】
【特許文献】
【０００４】
【特許文献１】実用新案登録第３１４５７７０号公報
【発明の概要】
【発明が解決しようとする課題】
【０００５】
しかしながら、従来の技術によれば、ＩＣタグのＩＣチップ部分が嵩張るために当該部分に外力が加わりやすくなりＩＣタグが破損する危惧がある。
【０００６】
そこで本発明は、上記問題を解決すべくなされたものであり、その目的とするところはＩＣタグが破損しにくい形態のＩＣタグ付き通帳を提供することにある。
【課題を解決するための手段】
【０００７】
本発明は、上記課題を達成するためになされたものであり、請求項１記載の本発明は、表紙紙片と見返し紙片からなる表紙にＩＣタグを備えたＩＣタグ付き通帳であって、前記表紙の前記表紙紙片と前記見返し紙片の間に切り抜き部を有するスペーサーを備え、前記スペーサーの前記切り抜き部に前記ＩＣタグが位置し、前記表紙に前記ＩＣタグが内蔵されていることを特徴とするＩＣタグ付き通帳である。
【０００８】
また、請求項２に記載の本発明は、請求項１に記載のＩＣタグ付き通帳において、前記スペーサーの厚さが、前記ＩＣタグの厚さと略同じであることを特徴とするものである。
【０００９】
また、請求項３に記載の本発明は、請求項１または請求項２に記載のＩＣタグ付き通帳において、複数枚の本紙が前記表紙と中綴じされていることを特徴とするものである。
【発明の効果】
【００１０】
本発明のＩＣタグ付き通帳は、表紙の表紙紙片と見返し紙片の間にＩＣタグが位置し、ＩＣタグの上下が表紙紙片と見返し紙片で保護され、さらに、表紙紙片と見返し紙片の間に切り抜き部を有するスペーサーを備え、切り抜き部にＩＣタグが位置し、ＩＣタグの周囲はスペーサーで保護され、ＩＣタグが表紙に内蔵された構成とすることによりＩＣタグに直接外力が加わることが緩和されるのでＩＣタグが破損しにくい。
【図面の簡単な説明】
【００１１】
【図１】本発明に係るＩＣタグ付き通帳の一実施形態を示す斜視図である。
【図２】図１のＡ−Ａ線断面図である。
【図３】本発明に係るＩＣタグ付き通帳の表紙の分解図である。
【図４】本発明に係るＩＣタグ付き通帳に用いるＩＣタグの実施例を示す平面図である。
【図５】従来のＩＣタグ付き通帳を示し、（イ）は正面図、（ロ）はＢ−Ｂ線断面図である。
【発明を実施するための形態】
【００１２】
上記の本発明について、図面等を用いて以下に詳述する。
図１は本発明に係るＩＣタグ付き通帳の一実施形態を示す斜視図、図２は図１のＡ−Ａ線断面図、図３は本発明に係るＩＣタグ付き通帳の表紙の分解図、図４は本発明に係るＩＣタグ付き通帳に用いるＩＣタグの実施例を示す平面図、図５は従来のＩＣタグ付き通帳を示し、（イ）は正面図、（ロ）はＢ−Ｂ線断面図であり、図中の１はＩＣタグ付き通帳、１００は従来の通帳、２０、１２０は表紙、２１は表紙紙片、２２は見返し紙片、３０はスペーサー、３１は切り抜き部、４０、４０’、１４０はＩＣタグ、４１、１４１は基材、４２、１４２はＩＣチップ、４３、４４はアンテナパターン、４５はアンテナコイル、４６は導通部材、１４７は被覆用シール、５０は本紙、６０は綴じ部、７０は接着剤をそれぞれ示す。
【００１３】
図１は本発明に係るＩＣタグ付き通帳の一実施形態を示す斜視図であり、図２は図１のＡ−Ａ線断面図であり中央の綴じ部６０で折り曲げられた表紙２０の一方の側の断面を示している。本発明のＩＣタグ付き通帳１は、図１、図２に示すように表紙２０が中央で二つ折りされ、その間に二つ折りされた複数枚の本紙５０が表紙２０と綴じ部６０で中綴じされている。表紙２０は表紙紙片２１と見返し紙片２２の間に切り抜き部３１を有するスペーサー３０を備えている。スペーサー３０の切り抜き部３１の領域内にＩＣタグ４０が位置し、表紙２０にＩＣタグ４０が内蔵されている。ＩＣタグ４０は二つ折りされた表紙２０の一方の側の表紙に内蔵されており、ＩＣタグ４０の上下が表紙紙片２１と見返し紙片２２で保護され、さらに、スペーサー３０に備えられた切り抜き部３１の領域内にＩＣタグ４０が位置しているのでＩＣタグ４０の厚み方向の周囲はスペーサー３０で保護され、表紙２０に内蔵させた構成である。ＩＣタグ４０は露出することがなくＩＣタグ４０に直接外力が加わることが緩和されるのでＩＣタグ４０が破損しにくい。なお、ＩＣタグ付き通帳１の製本様式は限定されるものではないが中綴じとする方が好ましく、ＩＣチップに読み込まれた情報をＩＣタグ付き通帳１に書き込むとき、印字作業性が向上する。
【００１４】
スペーサー３０の厚さが、ＩＣタグ４０のＩＣチップ４２の厚さと略同じであることが好ましく、表紙２０の表裏が平坦面となり、ＩＣタグ４０の破損が抑制される。ＩＣチップ４２に記憶された情報を読み取りＩＣタグ付き通帳１の本紙５０等に読み取った情報を書き込むために印字するとき、段差がないので印字適性が向上する。
【００１５】
図３は、本発明に係るＩＣタグ付き通帳１の表紙２０の分解図である。図３を参照しながらＩＣタグ付き通帳１の表紙２０の構成を説明する。表紙２０は本紙５０の側から、外寸法が同じ大きさの見返し紙片２２とスペーサー３０と表紙紙片２１を備え、スペーサー３０はＩＣタグ４０が嵌装される大きさの切り抜き部３１を有しており、その切り抜き部３１内にＩＣタグ４０が嵌装された状態で表紙紙片２１とスペーサー３０と見返し紙片２２を揃えて図２に示すように接着剤７０でそれぞれが接着されている。なお、ＩＣタグ４０は表紙紙片２１のスペーサー３０と対向する側に接着剤で予め接着してもよく、あるいはＩＣタグ４０の上から粘着層を備えた被覆用シールで被覆すると共に表紙紙片２１のスペーサー３０と対向する面に接着してもよい。また、ＩＣタグ４０は見返し紙片２２のスペーサー３０と対向する面に予め接着してもよい。本発明のＩＣタグ付き通帳１は表紙２０にＩＣタグ４０が内蔵されまったく露出されている部分がない。したがって、ＩＣタグが外力等で剥がれてくることが防止できる。
【００１６】
図４は本発明に係るＩＣタグ付き通帳１に用いるＩＣタグを例示したものであり、これに限定されるものではない。図４（イ）に示すＩＣタグ４０は、基材４１の上にアンテナパターン４３とアンテナパターン４４を備え、両アンテナパターン間にＩＣチップ４２が装着され、導通するようにされている。
【００１７】
図４（ロ）に示すＩＣタグ４０’は、アンテナコイル４５にＩＣチップ４２を装着している。そして基材４１の背面を通じてコイルを導通させるための導通部材４６を備えている。
【００１８】
ＩＣタグ４０、４０’は、基材４１の上に例えば、導電性インキによりアンテナパターン４３、４４、アンテナコイル４５を印刷形成してもよいし、基材４１に銅箔やアルミ箔をラミネートするかまたは蒸着させ、銅箔、アルミ箔または蒸着のアンテナパターン４３、４４、アンテナコイル４５を除いた部分をエッチングして除去しアンテナ類を形成してもよい。基材４１にはプラスチックフィルムが用いられ、プラスチックフィルムとしては、ポリエチレンテレフタレート、ポリブチレンテレフタレート、非晶性ポリエステル、ポリ塩化ビニル、塩化ビニル−酢酸ビニル共重合体、ポリカーボネート、ポリアミド、ポリスチレン、ＡＢＳ、ポリプロピレン、ポリエチレン等が挙げられ、これらを単独または二種以上組み合わせた複合フィルムが挙げられる。また、ＩＣチップ４２やアンテナ類を保護するためにこれらを保護する被覆用シートが積層されてもよい。また、ＩＣタグ４０、４０’は、基材４１のＩＣチップ４２と反対側の背面に粘着加工を施したラベル状の市販されているものも使用できる。
【００１９】
つぎに使用材料について説明する。
ＩＣタグ付き通帳１の表紙２０に用いる表紙紙片２１及び見返し紙片２２としては、上質紙、コート紙、クロス等が使用される。厚さとしては、各々通常７０μｍ〜２５０μｍである。
【００２０】
表紙紙片２１と見返し紙片２２の間に備えるスペーサー３０としては、上質紙、コート紙、クラフト紙等が用いられ、厚さとしてはＩＣチップ４２の厚さと略同じが好ましい。厚さとしては、通常２０μｍ〜１００μｍである。
【００２１】
表紙２０の表紙紙片２１とスペーサー３０と見返し紙片２２を接着させる接着剤７０としては、ポリウレタン、ポリ塩化ビニル、酢酸ビニル、アクリル樹脂、エチレン−酢酸ビニル共重合体、塩化ビニル−酢酸ビニル共重合体、ポリエステル等の樹脂が単独あるいは２つ以上混合して用いられる。これらの樹脂または混合物の溶液あるいは分散液をコートすることにより形成される。また、ホットメルトを用いてもよい。ＩＣタグ付き通帳１は上記材料を用いて、ＩＣタグが内蔵された表紙２０の見返し紙片２２側に複数枚の本紙５０を揃えて重ね、中央で中綴じされ、最後に天地断裁、小口断裁の三方仕上げ断裁することにより完成される。
【００２２】
本発明のＩＣタグ付き通帳１は、金融機関等で使用される通帳や図書館で使用される図書貸し出し通帳等に好適に用いることができる。なお、図書館で使用される図書貸し出し通帳とは、例えば、生徒などの読者に対して、読書に対する意識付けを支援するためのツールとして利用されはじめている通帳であり、図書館で本を借りる都度、貸出日、タイトル名などが印刷され、繰り返し本を借りる都度、図書貸し出し通帳に読者の読書履歴が記録されるものである。
【００２３】
なお、今まで説明してきた実施形態は、本発明に係るＩＣタグ付き通帳の一実施形態を挙げたものであって、本発明に係るＩＣタグ付き通帳はこれに限定されるものではなく、本発明の趣旨を逸脱しない範疇のものは、すべて本発明に含まれるものである。
【符号の説明】
【００２４】
１                        ＩＣタグ付き通帳
１００                    従来の通帳
２０、１２０              表紙
２１                      表紙紙片
２２                      見返し紙片
３０                      スペーサー
３１                      切り抜き部
４０、４０’、１４０      ＩＣタグ
４１、１４１              基材
４２、１４２              ＩＣチップ
４３、４４                アンテナパターン
４５                      アンテナコイル
４６                      導通部材
１４７                    被覆用シール
５０                      本紙
６０                      綴じ部
７０                      接着剤
【図１】
2019084721.tif 000003
【図２】
2019084721.tif 000004
【図３】
2019084721.tif 000005
【図４】
2019084721.tif 000006
【図５】
2019084721.tif 000007